(57)【特許請求の範囲】
【請求項１】
インクリボン上のインクを、サーマルヘッドにより記録媒体に転写させて印刷するプリンタにおいて、
画像データと共に印刷する背景色の色を選択する選択手段と、
印画環境に関する情報として、環境温度を取得する取得手段と、
前記取得手段により取得した前記印画環境に関する情報に基づいて、前記選択手段により選択可能な色を制限する制御手段とを有することを特徴とするプリンタ。
【請求項２】
前記選択手段により選択可能な色を表示する表示手段を有することを特徴とする請求項１に記載のプリンタ。
【請求項３】
前記制御手段は、前記取得手段により取得した印画環境に基づいて、印刷環境に適した色の範囲を前記表示手段に表示させることを特徴とする請求項２に記載のプリンタ。
【請求項４】
前記制御手段は、Ｌａｂ空間のうち印刷環境に適した色の範囲を前記表示手段に表示させることを特徴とする請求項３に記載のプリンタ。
【請求項５】
前記制御手段は、Ｌａｂ空間のうち印刷環境に適さない色の範囲を表示しないまたはグレーアウト表示することを特徴とする請求項４に記載のプリンタ。
【請求項６】
前記選択手段は、Ｌａｂの数値を入力することにより色を選択することを特徴とする請求項４または５に記載のプリンタ。
【請求項７】
前記制御手段は、ＲＧＢ空間のうち印刷環境に適した色の範囲を前記表示手段に表示させることを特徴とする請求項３に記載のプリンタ。
【請求項８】
前記制御手段は、ＲＧＢ空間のうち印刷環境に適さない色の範囲を表示しないまたはグレーアウト表示することを特徴とする請求項７に記載のプリンタ。
【請求項９】
前記選択手段は、ＲＧＢの数値を入力することにより色を選択することを特徴とする請求項７または８に記載のプリンタ。
【請求項１０】
前記制御手段は、ＲＧＢ空間のうち印刷環境に適した色の範囲を前記表示手段に表示させることを特徴とする請求項３に記載のプリンタ。
【請求項１１】
前記制御手段は、ＲＧＢ空間のうち印刷環境に適さない色の範囲を表示しないまたはグレーアウト表示することを特徴とする請求項１０に記載のプリンタ。
【請求項１２】
前記選択手段は、ＲＧＢの数値を入力することにより色を選択することを特徴とする請求項１０または１１に記載のプリンタ。
【請求項１３】
インクリボン上のインクを、サーマルヘッドにより記録媒体に転写させて画像を印刷するための印刷制御方法であって、
画像データと共に印刷する背景色の色を選択する選択ステップと、
印画環境に関する情報として、環境温度を取得する取得ステップと、
前記取得ステップにより取得した前記印画環境に関する情報に基づいて、前記選択ステップにより選択可能な色を制限する制御ステップとを有することを特徴とする印刷制御方法。
【発明の詳細な説明】
【技術分野】
【０００１】
本発明は、インクリボン上のインクを、サーマルヘッドにより記録媒体に転写させて印刷するプリンタ及び印刷制御方法に関する。
【背景技術】
【０００２】
一般に、紙とインクを媒体として画像を出力するプリンタでは、デジタルカメラ等で撮像された画像をフレームなどに嵌め込み印画する機能を搭載したものがある。
【０００３】
このようなプリンタでは、ユーザが、表示機能を利用してフレームの色をいくつかの選択肢から選択し、ユーザが選択した色でフレームをプリントすることを可能とするものの開発が進められている。
【０００４】
また、従来のプリンタでは、フレーム等の特殊な印刷方法にとらわれず、画像の色をユーザが自由に変更できるようにする色調整装置を備えたものが提案されている。この色調整装置を搭載したプリンタでは、ユーザが、表示画面に表示される色相環の表示を利用して画像の色相を指定することにより、ユーザが所望の色の画像をプリントさせることが可能である（例えば、特許文献１参照）。
【先行技術文献】
【特許文献】
【０００５】
【特許文献１】特開２００５−２７０５２
【発明の開示】
【発明が解決しようとする課題】
【０００６】
しかしながら、サーマルヘッドによりインクリボンを熱昇華させることにより染料面の印画が行なわれるサーマルプリンタに、従来の色調整装置を搭載することを考えると、以下のような画質品位劣化を起こすことが懸念される。
【０００７】
例えばユーザが色を選択し、かつ印画時の環境が低温低湿（低温少湿）環境の場合には、ユーザの選択した色のＹＵＶ値におけるＹ値が高い、つまり色が薄い場合には、その色が印画された箇所でかすれを生じ易くなる。
【０００８】
また、高温高湿（高温多湿）環境の場合には、ユーザの選択した色のＹＵＶ値におけるＹ値が低い、つまり色が濃い場合に、その色が印画された箇所に皺が発生し易くなるという問題がある。
【０００９】
本発明の目的は、印画環境に適した色をユーザが選択可能とすることにより、画質品位が高い画質で印画できるようにする、プリンタ及び印刷制御方法を提供することにある。
【課題を解決するための手段】
【００１０】
上記目的を達成するために、本発明のプリンタは、インクリボン上のインクを、サーマルヘッドにより記録媒体に転写させて印刷するプリンタにおいて、画像データと共に印刷する背景色の色を選択する選択手段と、印画環境に関する情報として、環境温度を取得する取得手段と、前記取得手段により取得した前記印画環境に関する情報に基づいて、前記選択手段により選択可能な色を制限する制御手段とを有することを特徴とする。
【００１１】
上記目的を達成するために、本発明の印刷制御方法は、インクリボン上のインクを、サーマルヘッドにより記録媒体に転写させて画像を印刷するための印刷制御方法であって、画像データと共に印刷する背景色の色を選択する選択ステップと、印画環境に関する情報として、環境温度を取得する取得ステップと、前記取得ステップにより取得した前記印画環境に関する情報に基づいて、前記選択ステップにより選択可能な色を制限する制御ステップとを有することを特徴とする。
【発明の効果】
【００１２】
本発明によれば、印画環境に適した色を選択可能とすることにより、画質品位が高い画質で印画できるようにしたプリンタ及び印刷制御方法を提供できる。
【図面の簡単な説明】
【００１３】
【図１】（Ａ）（Ｂ）は、本発明の第１実施の形態に係わる昇華型プリンタを示す概略構成図である。
【図２】本発明の第１実施の形態に係わる昇華型プリンタの側面ドアを開けた状態の外観を示す斜視図である。
【図３】本発明の第１実施の形態に係わる昇華型プリンタの構成を例示するブロック図である。
【図４】本発明の第１実施の形態に係わる昇華型プリンタにおいて、一般画像との合成の形式を選択するためのユーザインタフェース表示の一例を示す説明図である。
【図５】本発明の第１実施の形態に係わる昇華型プリンタにおける、一般画像との合成における背景色を選択するためのユーザインタフェース表示の一例を示す説明図である。
【図６】本発明の第１実施の形態に係わる昇華型プリンタにおける、環境と背景色選択パターンの関係を示す説明図である。
【図７】（Ａ）（Ｂ）（Ｃ）は、本発明の第１実施の形態に係わる昇華型プリンタにおける、背景色選択のパターンを示す説明図である。
【図８】本発明の第１実施の形態に係わる昇華型プリンタにおける、背景色選択のユーザインタフェース表示の一例を示す説明図である。
【図９】本発明の第１実施の形態に係わる昇華型プリンタにおける、背景色選択のユーザインタフェース表示での警告を示す説明図である。
【図１０】本発明の第２実施の形態に係わる昇華型プリンタにおける、合成画像の一例と各方向ライン数の関係を示す説明図である。
【図１１】本発明の第２実施の形態に係わる昇華型プリンタにおける、合成画像に嵌め込む一般画像の画像データに関する条件を示す説明図である。
【図１２】本発明の第２実施の形態に係わる昇華型プリンタにおける、背景色選択にあたり参照する印画環境のパターンを示す説明図である。
【図１３】本発明の第２実施の形態に係わる昇華型プリンタにおける、背景色選択のパターンを決定するための画像データ印画環境の条件を示す説明図である。
【図１４】本発明の第２実施の形態に係わる昇華型プリンタにおける、背景色選択パターンを示す説明図である。
【図１５】本発明の第１実施の形態に係わる昇華型プリンタで実行される、合成可能モード処理の手順を示すフローチャートである。
【発明を実施するための形態】
【００１４】
（第１実施の形態）
以下、本発明の第１実施の形態について図１乃至図９及び図１５を参照しながら説明する。
【００１５】
図１（ａ）のサーマルプリンタ（昇華型プリンタ）の概略構成説明図において、２０１は、用紙カセットであり、記録紙Ｐが積載されている。このサーマルプリンタは、インクリボン上のインクを、サーマルヘッドで熱溶融又は昇華させて記録媒体に印刷するプリンタである。このサーマルプリンタで印刷動作を行う場合には、用紙カセット２０１に積載されている記録紙Ｐの束から給紙ローラ２０２と分離部材２０３により最上層の記録紙だけを分離する。そして、分離された一葉の記録紙Ｐは、サーマルヘッド２０４とプラテンローラ２０５の部所へ搬送される。
【００１６】
このサーマルプリンタ（昇華型プリンタ）では、記録紙Ｐに１色目のインクシート２０６を重ねた状態にしてサーマルヘッド２０４とプラテンローラ２０５とで圧接する。これと共に、このサーマルプリンタでは、印画方向下流に設けた１対のキャプスタンローラ２０７とピンチローラ２０８との間に記録紙Ｐを挟持した状態で転接することにより、記録紙Ｐを搬送させる。
【００１７】
このサーマルプリンタでは、上述のようにして記録紙Ｐを搬送しながらサーマルヘッド２０４を発熱制御して１色目のインクシート２０６上のインクを記録紙Ｐ上に熱転写させる。
【００１８】
次に、このサーマルプリンタでは、図１（ｂ）に示すように、１色目の印画を終えた後に次色の印画を行うため、サーマルヘッド２０４の圧接を開放する。そして、このサーマルプリンタでは、キャプスタンローラ２０７とピンチローラ２０８を印刷動作時とは逆方向に回転させて、記録紙Ｐを印刷開始位置まで戻す。次に、このサーマルプリンタでは、上述した１色目と同様の動作で２色目以降を印画する。このようにしてこのサーマルプリンタでは、イエロー・マゼンタ・シアンの３色を重ねてフルカラー印刷を行う。
【００１９】
また、このサーマルプリンタでは、図２のサーマルプリンタの全体外観図に示すように、側面ドア１を開けることによりインクシート挿入口４からインクシート２０６を挿入可能に構成されている。このサーマルプリンタでは、用紙カセット挿入口蓋５を開けて用紙カセット２０１を挿入可能に構成されている。
【００２０】
このサーマルプリンタは、印画したい画像のデータが記録されたメディアを挿入するためのメディア挿入部６を備える。
【００２１】
このサーマルプリンタは、その上面部に表示部２が配置されている。この表示部２には、電源部が起動された際にプリンタ本体のステータスが表示される。ここで、ステータスとは、メディア挿入部６に挿入されたメディアに記録された画像データの有無、用紙カセット２０１又はインクシート２０６の挿入有無等である。
【００２２】
このサーマルプリンタでは、表示部２がタッチパネル機能又はタッチペン機能を具備する。このサーマルプリンタは、操作部３を備える。操作部３は、電源のＯｎ／ＯＦＦ、画像の選択、印刷設定、印刷コマンド送信の指令を入力する機能を備える。
【００２３】
このサーマルプリンタでは、ユーザが、操作部３を操作して電源をＯＮ状態とし、表示部２を操作して印刷の設定を行うように構成されている。
【００２４】
このサーマルプリンタでは、図３に示す各部及びサーマルプリンタ全般に関連する種々の制御（印刷制御）が、単数若しくは複数のブロックで制御され又は個々に専用のブロックで制御されるように構成しても良い。
【００２５】
このサーマルプリンタの印刷制御では、画像処理部３６によって、印画したい画像データをＣＭＹベースのデータに変換し、画像補正を行う。画像処理部３６では、画像データと、レイアウトのための合成領域やフレーム画像、スタンプ画像等とを合成し、合成画像データを生成する合成処理も行う。この画像処理部３６で生成される合成画像データを生成する際には、合成領域やフレーム画像、スタンプ画像の色は、背景色選択画面で選択された色で彩色されたものである。
【００２６】
このサーマルプリンタの印刷制御では、環境検知部３１により、プリンタ本体が置かれ印画が実行される環境を取得（検出）し、取得した印画環境（印刷環境）に関する情報を記憶部３５に蓄積する。この環境検知部３１は、プリンタ本体内の基板等に実装された温度センサ及び湿度センサを備える。このサーマルプリンタでは、環境に関する情報を、環境検知部３１が検知した温度と湿度としている。
【００２７】
このサーマルプリンタは、ユーザが操作して、電源のオンオフをはじめ印画に関する設定を行うための操作部３４を備える。この操作部３４は、画像データの一部と、レイアウトの領域とを含む合成画像として印画される合成可能モード処理を選択可能とすることが可能である。また、ユーザは表示部の背景色選択画面を見ながら、この操作部３４を操作することにより、所望の色を選択することができる。
【００２８】
このサーマルプリンタは、操作部３４により電源がオンの状態とされたときに、表示部３７を起動し、印画に関する情報等を表示するよう構成されている。このサーマルプリンタでは、ユーザが操作部３４と、表示部３７とから入力した印画条件（印刷の設定）の指令に基づいて、ヘッド制御部３３がサーマルヘッド２０４を駆動制御する。
【００２９】
このサーマルプリンタでは、ユーザが選択したレイアウトパターンで画像を合成したり、画像にフレームやカレンダー等を合成して印刷したりする合成機能を備える。このような合成モードを選択した場合の動作について、図１５のフローチャートを参照して説明する。
【００３０】
ユーザが合成モードを選択するまで待機し（ステップＳ１でＮＯ）、このモードが選択された際に、処理が開始される（ステップＳ１でＹＥＳ）。この合成モード処理は、画像データと、レイアウト用のテンプレートやフレーム画像やスタンプ画像とをとを合成した合成画像として印画する処理である。
【００３１】
この合成可能モード処理が開始すると、表示部３７は、表示部２に、図４に例示するようなユーザが印画したい画像を嵌め込むために用いる各種のレイアウト用パターン（テンプレート）や吹き出し等のスタンプ画像の候補の表示を行う（ステップＳ２）。
【００３２】
次に、ユーザが印画したい画像を嵌め込みたいレイアウトのパターンを選択すると、表示部３７は、各パターンからより細分化されたレイアウトを選択できるようにする。この細分化されたレイアウトは、それぞれ色、形状などが異なるものである。表示された複数のレイアウトパターンまたはスタンプ画像の中から、ユーザから所望のレイアウトパターンまたはスタンプ画像が選択されたら（ステップＳ３）、次に、表示部３７は、背景色選択画面を表示するための表示処理を実行する。この表示処理は、表示部２に、図５に例示するレイアウトの背景部分の背景色またはスタンプの色を選択するための色選択画面を表示するための処理である。
【００３３】
この図５に例示した色を選択するための表示では、いわゆる色立体の如く、各色を３次元の座標で特定できるように現わしたものである。この図５に示す色を選択するための立体的表示では、Ｌが色彩の輝度、ａと、ｂとが色味を示す。なお、Ｌ値は、数値が大きいほど明るく、小さいほど暗い。ａ値は、数値が正方向に大きいほど赤みが強い色になり、小さいほど緑味が強い色になる。ｂ値は、数値が正方向に大きいほど黄色味が強い色になり、小さいほど青みが強い色になる。
【００３４】
この図５に例示した色を選択するための表示では、ユーザが、指もしくはタッチペンを用いてレイアウト背景色やスタンプ画像の背景色として所望の色を選択可能に設定されている。また、レイアウトやスタンプだけでなく、画像に合成するフレーム画像の色を同様の方法で選択可能にしても良い。
【００３５】
この色を選択するための表示処理を開始するにあたって、環境検知部３１は、プリンタ本体が設置されている環境に関するデータを検出する（ステップＳ４）。そして、表示部３７は、図６に示すマトリクス上の符号に対応して表示パターンを図７に例示するように可変させる（ステップＳ５）。なお、図７では、背景色選択画面の表示パターン例を３種類としてあるが、パターン数は、これに限られるものでは無い。
【００３６】
この図７に例示するものでは、環境検知部３１が感じ取った環境が温度２０℃、湿度５０％の場合には、図７における（Ｂ）の表示方法が適用される。また、環境温度２６℃、湿度５４％の場合は、各値を四捨五入し環境温度３０℃、湿度５０％として、図７における（Ｂ）の表示方法を適用する。
【００３７】
図７における各表示方法に関して、（Ａ）の表示方法は、低温低湿と判断される環境下で適用されているがこれはかすれ易い色、つまりＹ値が高い色を選択させないように制限する。図７の（Ｃ）の表示方法は、高温高湿と判断される環境下で適用されているが、これは皺が発生しやすい色、つまりＹ値が低い色を選択させないように制限する。上述した図６と図７とによって説明した環境と表示パターンの関係は、レイアウトのパターン毎にそれぞれ独自に設定されている。要するに、この各表示方法では、印画環境（印刷環境）で出力するのに相応しくない色を表示させないように制限するよう設定されている。本実施形態では、印画環境で出力するのに相応しくない色は表示させないようにしたが、他の方法（例えばグレーアウト表示）で選択不可能になるようにしても良い。
【００３８】
図６のマトリクスを参照して図７に示す印画環境に適した色の範囲を示す背景色選択画面を利用して、ユーザは、操作部３４により所望の色の選択指示を行う（ステップＳ６）。
【００３９】
次に、画像処理部３６では、ＳＳ６で選択された背景色で表示部３７は、画像処理部３６等で処理された記録メディア内の画像と選択したレイアウトの合成結果をプレビュー表示する。そして、このプレビュー表示を確認したユーザが、操作部３４により印画コマンドを発した場合には、ヘッド制御部３３がサーマルヘッド２０４の駆動を制御して印画処理を実行して（ステップＳ７）この合成モード処理を終了する。
【００４０】
また、上述した合成可能モード処理で用いられる背景色選択画面の表示方法は、図７に例示する以外に、図８に例示するような、背景色となる色彩データの具体的数値を入力する形式の表示方法としても良い。
【００４１】
この図８に例示する背景色選択画面の表示方法では、ＲＧＢベースでのデータ数値入力用の表示例を示しているが、ＲＧＢ（ＲＧＢ空間）の代わりに形式がＣＭＹであったり、Ｌａｂ（Ｌａｂ空間）であってもよい。この図８に示すパターンで表示された場合には、環境検知部により検知された環境に応じて入力可能数値範囲が表示される。
【００４２】
このように表示される図８の背景色選択画面では、ユーザが、操作部３を操作して数値を入力する。なお、この操作部３は、例えば十字キーなど数値の増減に関する入力が可能なボタン等で構成されている。
【００４３】
この図８の背景色選択画面では、ユーザが、入力可能数値範囲外の数値を入力した場合に、図９に例示するような入力不可能である旨の表示を行い、適切な入力を促す。
【００４４】
（第２実施の形態）
以下、本発明の第２実施の形態について図１０乃至図１４を参照しながら説明する。なお、本第２実施の形態は、ＹＵＶベースの画像データを扱うもので、第１に、主走査方向に輝度が高い、白っぽい画像が嵌め込まれた場合と、第２に、副走査方向に輝度が低い、すなわち黒くつぶれがちな画像が嵌め込まれた場合とに対応する。
【００４５】
本第２実施の形態に係わるサーマルプリンタでは、図１０に例示するようなメディア挿入部６に挿入された記録媒体に記録された画像データがＹＵＶベースで各画素読みされる。ここでは、サーマルプリンタにおいて、例えば図１０に示すような、ライン数のレイアウトならびに画像データによる合成結果になる場合について説明する。なお、主走査方向ｍ（ｍは自然数）ライン、副走査方向ｎ（ｎは自然数）ラインが存在する画像データ中、主走査方向ｉ（ｉ≦ｍ）  ライン目、副走査方向ｊライン目（ｊ≦ｎ）の画素データを［Ｙ  ｉｊ，Ｕ  ｉｊ，Ｖ  ｉｊ］とする。
【００４６】
このとき、サーマルプリンタでは、図１１で示すＹ，Ｕ，Ｖの条件を満たすライン数ならびに、図１２で示す環境検知部が検知する環境のパターンから、図１３を参照して表示部２で背景色選択画面のパターンが決定される。このとき、図１３の符号と背景色選択画面のパターンの対応例は、図１４（Ａ）（Ｂ）（Ｃ）に示すようになる。
【００４７】
また、このサーマルプリンタにおける図１１で示す条件１の場合には、主走査方向に輝度が高い、白っぽい画像が嵌め込まれた場合となる。このように主走査方向に輝度が高いライン数が多い場合には、コモンドロップが発生しやすい。そのため、サーマルプリンタでは、図１３で示す主走査方向のライン数条件を満たす、つまり輝度が高いライン数が多い場合に、発生しやすいコモンドロップを背景色で目立たなくさせる必要がある。
【００４８】
また、このサーマルプリンタにおける図１１で示す条件２の場合には、副走査方向に輝度が低い、つまり黒つぶれがちな画像が嵌め込まれた場合となる。このように副走査方向に輝度が低いライン数が多い場合には、尾引きが発生しやすい。そのため、サーマルプリンタでは、図１３で示す副走査方向のライン数条件を満たす、つまり輝度が低い黒つぶれし易いライン数が多い場合に、発生しやすい尾引きを背景色で目立たなくさせる必要がある。
【００４９】
すなわち、このサーマルプリンタでは、嵌め込む元の画像データの特性により誘発されやすい、画質品位劣化を招く現象を目立たなくさせ、かつ印画環境により皺やかすれなどといった現象を回避する必要がある。そこで、このサーマルプリンタでは、背景色選択画面で設定されるパターンを図１４（Ａ）（Ｂ）（Ｃ）に例示するパターンの何れかに設定する。
【００５０】
このサーマルプリンタでは、図１４（Ａ）（Ｂ）（Ｃ）に例示するパターンの何れかが背景色選択画面で設定された場合に、ユーザが画質品位劣化を起こす原因となり得る背景色が選択されることが無い。よって、このサーマルプリンタでは、図１４（Ａ）（Ｂ）（Ｃ）に例示する何れかのパターンを背景色選択画面で設定することにより、画質品位を良好に維持し、かつ印画環境により皺やかすれなどといった現象を回避できる。
【００５１】
なお、本第２実施の形態における以上説明した以外の構成、作用及び効果は、前述した第１実施の形態と同様であるので、その説明を省略する。
【図１】
0005451361.tif 000002
【図２】
0005451361.tif 000003
【図３】
0005451361.tif 000004
【図４】
0005451361.tif 000005
【図５】
0005451361.tif 000006
【図６】
0005451361.tif 000007
【図７】
0005451361.tif 000008
【図８】
0005451361.tif 000009
【図９】
0005451361.tif 000010
【図１０】
0005451361.tif 000011
【図１１】
0005451361.tif 000012
【図１２】
0005451361.tif 000013
【図１３】
0005451361.tif 000014
【図１４】
0005451361.tif 000015
【図１５】
0005451361.tif 000016